(57)【要約】【課題】梱包箱を破壊することなく、該梱包箱から製品を容易に取り出すことができる梱包製品の取り出し補助板を提供すること。【解決手段】梱包箱内に密集梱包された製品Ｗを取り出すための取り出し補助板１に、前記製品Ｗの下部を受けるコの字状の折り曲げ部２を下端に設ける。本発明によれば、梱包箱内に製品Ｗを梱包する際、取り出し補助板１を、その下端に設けられたコの字状の折り曲げ部２で或る製品Ｗの下部を受けた状態で同梱し、開梱時に取り出し補助板１を引き上げれば、該取り出し補助板１の折り曲げ部２で下部が受けられた製品Ｗが持ち上げられて容易に取り出される。【選択図】図３
2008114896.tif 000002
【特許請求の範囲】
【請求項１】
梱包箱内に密集梱包された製品を取り出すための取り出し補助板であって、
前記製品の下部を受けるコの字状の折り曲げ部を下端に有することを特徴とする梱包製品の取り出し補助板。
【請求項２】
前記梱包箱の上面開口部を開閉する開封フラップに形成された係止孔に係止される係止部を上端部に形成したことを特徴とする請求項１記載の梱包製品の取り出し補助板。
【発明の詳細な説明】
【技術分野】
【０００１】
本発明は、梱包箱内に密集梱包された製品を取り出すための取り出し補助板に関するものである。
【背景技術】
【０００２】
ダンボール等の梱包箱内に整然と密集梱包された製品を取り出すことは容易ではなく、このため、例えば特許文献１には、ダンボール箱の開封フラップにミシン目を入れ、このミシン目から開封フラップを破断することによって、ダンボール箱から製品を取り出し易くする提案がなされている。
【特許文献１】特開２００６−０７６５８８号公報
【発明の開示】
【発明が解決しようとする課題】
【０００３】
しかしながら、特許文献１において提案された構成では、例えば雨天時等にダンボール箱のミシン目からの水漏れが懸念され、又、ダンボール箱をミシン目に沿って破断するには大きな力を要するために容易ではなく、破断されたダンボールを再使用することができないという問題があった。
【０００４】
本発明は上記問題に鑑みてなされたもので、その目的とする処は、梱包箱を破壊することなく、該梱包箱から製品を容易に取り出すことができる梱包製品の取り出し補助板を提供することにある。
【課題を解決するための手段】
【０００５】
上記目的を達成するため、請求項１記載の発明は、梱包箱内に密集梱包された製品を取り出すための取り出し補助板に、前記製品の下部を受けるコの字状の折り曲げ部を下端に設けたことを特徴とする。
【０００６】
請求項２記載の発明は、請求項１記載の発明において、前記梱包箱の上面開口部を開閉する開封フラップに形成された係止孔に係止される係止部を上端部に形成したことを特徴とする。
【発明の効果】
【０００７】
請求項１記載の発明によれば、梱包箱内に製品を梱包する際、取り出し補助板を、その下端に設けられたコの字状の折り曲げ部で或る製品の下部を受けた状態で同梱し、開梱時に取り出し補助板を引き上げれば、該取り出し補助板の折り曲げ部で下部が受けられた製品が持ち上げられて容易に取り出される。そして、この製品が梱包箱から取り出されると、梱包箱には取り出された製品の跡に空間が形成されるため、その空間に手を差し込んで他の全ての製品を容易に取り出すことができる。従って、梱包箱を破壊することなく、該梱包箱から製品を容易に取り出すことができる。
【０００８】
請求項２記載の発明によれば、梱包箱の開封フラップに形成された係止孔に取り出し補助板の係止部を係止させて開封フラップに取り出し補助板を連結しておけば、開梱時に開封フラップを開く動作に連動して取り出し補助板が引き上げられ、この取り出し補助板によって製品が自動的に梱包箱から取り出されるため、製品の取り出し作業が一層容易化する。
【発明を実施するための最良の形態】
【０００９】
以下に本発明の実施の形態を添付図面に基づいて説明する。
【００１０】
＜実施の形態１＞
図１は本発明の実施の形態１に係る取り出し補助板の斜視図、図２は同取り出し補助板を製品と共に梱包箱に梱包する様子を示す斜視図、図３（ａ）〜（ｃ）は同取り出し補助板を用いた製品の取り出し要領を示す説明図である。
【００１１】
図１に示す取り出し補助板１は、矩形の段ボール紙等の下端をコの字状に折り曲げて折り曲げ部２を形成するとともに、上端縁の一部に矩形板状のつまみ部３を一体に突設して構成されている。
【００１２】
このように構成された取り出し補助板１は、図２に示す梱包箱４内に複数の製品Ｗを梱包する際、その下端に形成されたコの字状の折り曲げ部２で２つの製品Ｗの下部を受けてこれらの製品Ｗを支持した状態で同梱される（図３（ａ）参照）。尚、このとき、取り出し補助板１のつまみ部３は折り曲げられる。
【００１３】
而して、梱包箱４から製品Ｗを取り出すには、図２に示すように開封フラップ５，６を開け、同梱された取り出し補助板１のつまみ部３を垂直に起こし（図３（ａ）参照）、該つまみ部３を把持して取り出し補助板１を引き上げれば、図３（ｂ）に示すように、該取り出し補助板１の折り曲げ部２で下部が受けられた２つの製品Ｗが持ち上げられて梱包箱４から容易に取り出される。そして、このように２つの製品Ｗが梱包箱４から取り出されると、図３（ｃ）に示すように、梱包箱４には取り出された２つの製品Ｗの跡に空間Ｓが形成されるため、その空間Ｓに手を差し込んで他の全ての製品Ｗを容易に取り出すことができる。従って、本実施の形態によれば、梱包箱４を破壊することなく、該梱包箱４から製品Ｗを容易に取り出すことができる。
【００１４】
＜実施の形態２＞
次に、本発明の実施の形態を図４及び図５に基づいて説明する。
【００１５】
図４は本実施の形態に係る取り出し補助板を製品と共に梱包箱に梱包する様子を示す斜視図、図５（ａ），（ｂ）は同取り出し補助板を用いた製品の取り出し要領を示す説明図である。
【００１６】
本実施の形態は、図４に示すように、梱包箱４の上面開口部を開閉する開封フラップ５にＴ字状の係止孔７を形成するとともに、取り出し補助板１の上縁の一部にＴ字状の係止部８を一体に突設し、この係止部８を梱包箱４の開封フラップ５に形成された前記係止孔７に嵌め込んで係止することによって取り出し補助板１を開封フラップ５に連結したことを特徴とする（図５（ａ）参照）。
【００１７】
而して、図５（ａ）に示すように、製品Ｗを受けた状態で梱包箱４内に同梱されている取り出し補助板１は、開梱時に開封フラップ５を開く動作に連動して図５（ｂ）に示すように引き上げられ、この取り出し補助板１によって製品Ｗが自動的に梱包箱４から取り出されるため、製品Ｗの取り出し作業が一層容易化される。
【００１８】
このようにして梱包箱４から２つの製品Ｗが梱包箱４から取り出されると、前記実施の形態１と同様に、梱包箱４には取り出された２つの製品Ｗの跡に空間が形成されるため、その空間に手を差し込んで他の全ての製品Ｗを容易に取り出すことができる。従って、本実施の形態の形態においても、梱包箱４を破壊することなく、該梱包箱４から製品Ｗを容易に取り出すことができる。
【図面の簡単な説明】
【００１９】
【図１】本発明の実施の形態１に係る取り出し補助板の斜視図である。
【図２】本発明の実施の形態１に係る取り出し補助板を製品と共に梱包箱に梱包する様子を示す斜視図である。
【図３】（ａ）〜（ｃ）は本発明の実施の形態１に係る取り出し補助板を用いた製品の取り出し要領を示す説明図である。
【図４】本発明の実施の形態２に係る取り出し補助板を製品と共に梱包箱に梱包する様子を示す斜視図である。
【図５】（ａ），（ｂ）は本発明の実施の形態２に係る取り出し補助板を用いた製品の取り出し要領を示す説明図である。
【符号の説明】
【００２０】
１        取り出し補助板
２        取り出し補助板の折り曲げ部
３        取り出し補助板のつまみ部
４        梱包箱
５，６    梱包箱の開封フラップ
７        開封フラップの係止孔
８        取り出し補助板の係止部
Ｓ        空間
Ｗ        製品
【図１】
2008114896.tif 000003
【図２】
2008114896.tif 000004
【図３】
2008114896.tif 000005
【図４】
2008114896.tif 000006
【図５】
2008114896.tif 000007